(57)【要約】【課題】ウェブや繋ぎ用テープを保持する保持手段の吸引力を簡易にかつ安定して制御することができ、繋ぎ不良や品質不良を防止することができるウェブの突き合わせ繋ぎ装置を提供する。【解決手段】本発明のウェブの突き合わせ継ぎ装置１は、第１のウェブ１０の後端と第２のウェブ２０の先端とを突き合わせ、これらを繋ぎ用テープ３０により貼着し繋ぎ合わせる装置であり、第１のウェブ１０、第２のウェブ２０、繋ぎ用テープ３０を各々吸引保持する少なくとも３個の保持手段４０Ａ〜４０Ｄと、第１のウェブ１０および第２のウェブ２０を切断する切断手段６０と、複数の吸引手段とを備えると共に、各保持手段４０Ａ〜４０Ｄおよび切断手段６０は可動とされ、かつ各保持手段４０Ａ〜４０Ｄは複数の吸引手段のうちいずれかの吸引手段に接続されていることを特徴とする。【選択図】　図１
2004091067.tif 000002
【特許請求の範囲】
【請求項１】
第１のウェブの後端と第２のウェブの先端とを突き合わせ、これらを繋ぎ用テープにより貼着し繋ぎ合わせるウェブの突き合わせ繋ぎ装置において、
第１のウェブ、第２のウェブ、繋ぎ用テープを各々吸引保持する少なくとも３個の保持手段と、第１のウェブおよび第２のウェブを切断する切断手段と、複数の吸引手段とを備えると共に、
各保持手段および前記切断手段は可動とされ、かつ各保持手段は前記複数の吸引手段のうちいずれかの吸引手段に接続されていることを特徴とするウェブの突き合わせ継ぎ装置。
【請求項２】
各保持手段は開閉弁を介して前記吸引手段に接続されていることを特徴とする請求項１に記載のウェブの突き合わせ継ぎ装置。
【発明の詳細な説明】
【０００１】
【発明の属する技術分野】
本発明は、第１のウェブの後端と第２のウェブの先端とを突き合わせ、これらを繋ぎ用テープにより貼着し繋ぎ合わせるウェブの突き合わせ繋ぎ装置に関するものである。
【０００２】
【従来の技術】
残り少なくなった旧ウェブと新ウェブとを繋ぎ合わせるウェブの突き合わせ繋ぎ装置として、旧ウェブ、新ウェブ、繋ぎ用テープを各々保持する少なくとも３個の保持手段と、旧ウェブおよび新ウェブを切断する切断手段とを備えた装置が知られている（例えば、特開平１０−３０５９５０号公報等）。かかる装置において、保持手段としては、ブロア等の吸引手段に接続され、ウェブや繋ぎ用テープを吸引保持するものが広く用いられている。
【０００３】
【発明が解決しようとする課題】
上記従来のウェブの突き合わせ繋ぎ装置においては、従来、すべての保持手段が共通の吸引手段に接続されていた。そのため、保持手段のオンオフを個別に制御するために、各保持手段と吸引手段との間に開閉弁を設ける必要があった。なお、保持手段の「オン状態」とは、開閉弁が開けられて吸引手段に連通しており、保持手段が吸引力を有する状態を言い、「オフ状態」とは、開閉弁が閉じられて吸引手段に連通せず、保持手段が吸引力を有しない状態を言う。
【０００４】
しかしながら、すべての保持手段が共通の吸引手段に接続されていると、オン状態の保持手段の数によってその吸引力が大きく変動してしまうという問題があった。
例えば、すべての保持手段がオン状態の時に最適な吸引力になるように調整し、その状態を維持したまま、一部の開閉弁を閉じて一部の保持手段のみをオン状態とした場合には、当該オン状態の保持手段の吸引力が高くなりすぎて、ウェブに皺が発生したり、繋ぎ用テープが保持手段から離れにくくなるなどして、繋ぎ不良や品質不良が発生することがあった。逆に、一部の保持手段のみがオン状態の時に最適な吸引力になるように調整し、その状態を維持したまま、すべての保持手段をオン状態にした場合には吸引力が低下し、新旧ウェブに位置ずれが発生するなどして、繋ぎ不良や品質不良が発生することがあった。繋ぎ不良や品質不良が発生すると、一時的な生産停止を余儀なくされ、好ましくない。
【０００５】
なお、開閉弁の開度等を調整することにより、各保持手段の吸引力を調整することは可能である。しかしながら、１回の突き合わせ繋ぎ作業は通常２０〜３０秒程度の短時間であり、その間に複数回、開閉弁の操作を行う必要がある。そのため、オン状態の保持手段の数に応じて、開閉弁の操作によって吸引力を最適範囲に調整するには、制御が極めて困難であり、制御できたとしても多くの条件に対応するために極めて複雑で高価な制御装置を要する。また、ウェブや繋ぎ用テープの種類が変わると、これらに対する最適な吸引力が変化するため、複数種類のウェブや繋ぎ用テープを用いる場合には、より一層制御が困難である。また、新規のウェブや繋ぎ用テープを用いる場合には、最適化条件の検討に多大な時間や労力を要する。
また、本発明者は、バキュームブレーカーを設置して各条件下での保持手段の吸引力の最適化を試みたが、保持手段毎の調整が極めて困難であり、問題解決には到らなかった。
【０００６】
そこで、本発明はかかる事情に鑑みてなされたものであり、ウェブや繋ぎ用テープを保持する保持手段の吸引力を簡易にかつ安定して制御することができ、繋ぎ不良や品質不良を防止することができるウェブの突き合わせ繋ぎ装置を提供することを目的とする。
【０００７】
【課題を解決するための手段】
本発明者は上記課題を解決するべく検討を行った結果、以下の装置を発明した。
本発明のウェブの突き合わせ繋ぎ装置は、第１のウェブの後端と第２のウェブの先端とを突き合わせ、これらを繋ぎ用テープにより貼着し繋ぎ合わせるウェブの突き合わせ繋ぎ装置において、第１のウェブ、第２のウェブ、繋ぎ用テープを各々吸引保持する少なくとも３個の保持手段と、第１のウェブおよび第２のウェブを切断する切断手段と、複数の吸引手段とを備えると共に、各保持手段および前記切断手段は可動とされ、かつ各保持手段は前記複数の吸引手段のうちいずれかの吸引手段に接続されていることを特徴とする。
なお、本明細書において、「ウェブ」とは、シート、フィルム、箔等のシート状物のことを意味する。
【０００８】
【発明の実施の形態】
次に、図１〜図３に基づいて、本発明に係る実施形態のウェブの突き合わせ繋ぎ装置の構造および該装置を用いたウェブの突き合わせ繋ぎ方法について説明する。図１（ａ）は、本実施形態のウェブの突き合わせ繋ぎ装置の構造を示す概略図であり、図１（ｂ）、（ｃ）、図２（ａ）〜（ｄ）は、該装置を用いたウェブの突き合わせ繋ぎ方法を示す各工程図である。また、図３は、保持手段と吸引手段との接続態様を示す概略図である。
【０００９】
図１（ａ）に示すように、本実施形態のウェブの突き合わせ繋ぎ装置１は、残り少なくなった旧ウェブ（第１のウェブ）１０の後端と新ウェブ（第２のウェブ）２０の先端とを突き合わせ、これらを繋ぎ用テープにより貼着し繋ぎ合わせる装置である。なお、繋ぎ用テープとしては、一方の面に粘着剤や接着剤が塗布された粘着テープや接着テープが用いられる。また、本実施形態では、あらかじめウェブの幅と略同一長さに切断された計２枚の繋ぎ用テープを用い、旧ウェブ１０と新ウェブ２０とを突き合わせた部分に対して上下両面から繋ぎ用テープを貼着して繋ぎ合わせる場合について説明する。また、非突き合わせ繋ぎ作業時には、ウェブが図示左方から図示右方に搬送されウェブの加工が行われる場合について図示してある。
【００１０】
同図に示すように、装置１には、旧ウェブ１０、新ウェブ２０を各々吸引保持する保持手段４０Ａ、４０Ｂが設けられている。また、旧ウェブ１０と新ウェブ２０とを突き合わせた部分に供給する２枚の繋ぎ用テープ３０を各々吸引保持する保持手段４０Ｃ、４０Ｄが設けられている。これら保持手段４０Ａ〜４０Ｄはいずれも箱状であり、その一面がウェブ又は繋ぎ用テープを吸引保持する吸引面となっている。また、これら保持手段は各々移動手段に接続されており、少なくとも突き合わせ繋ぎ作業を行う箇所およびその近傍範囲内において、前後左右上下の任意の位置に可動するように構成されている。なお、「前」、「後」は各々ウェブの先端側、後端側を意味し、「左」、「右」は各々ウェブの後端側から先端側を見た時の左側、右側を意味する。
【００１１】
また、図３に示すように、ブロア等からなる２台の吸引手段５１、５２が設けられており、ウェブを保持する保持手段４０Ａ、４０Ｂは一方の吸引手段５１に接続され、繋ぎ用テープを保持する保持手段４０Ｃ、４０Ｄは他方の吸引手段５２に接続されている。
すなわち、一方の吸引手段５１には配管５３が連結されており、この配管は途中で２方向に分岐され、各々ウェブを保持する保持手段４０Ａ、４０Ｂに接続している。また、配管５３において、分岐前には開閉弁５５が設けられ、分岐後の保持手段４０Ａ、４０Ｂに接続する部分には各々開閉弁５７Ａ、５７Ｂが設けられている。同様に、他方の吸引手段５２には配管５４が連結されており、この配管は途中で２方向に分岐され、各々繋ぎ用テープを保持する保持手段４０Ｃ、４０Ｄに接続している。また、配管５４において、分岐前には開閉弁５６が設けられ、分岐後の保持手段４０Ｃ、４０Ｄに接続する部分には各々開閉弁５７Ｃ、５７Ｄが設けられている。開閉弁５５、５６、５７Ａ〜５７Ｄは制御装置に接続されており、その開閉のタイミングや開度等が制御されるようになっている。なお、開閉弁５５、５６は通常開けられており、開閉弁５７Ａ〜５７Ｄの開閉によって、保持手段４０Ａ〜４０Ｄのオンオフが操作されるようになっている。
【００１２】
また、図１（ａ）に示すように、装置１には、旧ウェブ１０と新ウェブ２０を切断する切断手段６０が設けられている。この切断手段６０は、カッター６１とこれを保持する保持具６２とから概略構成されており、保持具６２の下面であってカッター６１の前後には各々、ウェブを押さえて支持するクッション材等からなる支持部材６３が取り付けられている。切断手段６０も保持手段４０Ａ〜４０Ｄと同様、移動手段に接続されており、少なくとも突き合わせ繋ぎ作業を行う箇所およびその近傍範囲内において、前後左右上下の任意の位置に可動するように構成されている。
【００１３】
本実施形態の突き合わせ繋ぎ装置１は以上のように構成されている。以下、該装置を用いたウェブの突き合わせ繋ぎ方法の一例について説明する。
突き合わせ繋ぎ作業を開始するにあたっては、旧ウェブ１０の搬送を停止しておく。また、図１（ａ）に示すように、新ウェブ２０を旧ウェブ１０と平行に配置し、新ウェブ２０の位置合わせを行う。新ウェブ２０の位置合わせは、以下のようにして行われる。すなわち、開閉弁５７Ｂを開けて保持手段４０Ｂをオン状態とし、保持手段４０Ｂにより新ウェブ２０を吸引保持し、新ウェブ２０の先端側の一部を下方に折り曲げる。次いで、保持手段４０Ｂを移動し、新ウェブ２０の下方に折り曲げた部分を保持手段４０Ｂと４０Ａによって挟み、固定する。その後、保持手段４０Ｂをオフ状態とすることによって、新ウェブ２０の位置合わせは終了する。なお、保持手段４０Ｂをオン状態としたまま、新ウェブ２０の位置合わせを終了しても良い。新ウェブ２０の位置合わせ作業中は、開閉弁５７Ａを閉じ、保持手段４０Ａはオフ状態としておく。
【００１４】
はじめに、図１（ｂ）に示すように、開閉弁５７Ａ、５７Ｂを開けて保持手段４０Ａと４０Ｂをオン状態としてから、これらを同時に上方に移動させ、保持手段４０Ａの吸引面を旧ウェブ１０の下面に接合させると共に、保持手段４０Ｂの吸引面を新ウェブ２０の下面に接合させ、旧ウェブ１０、新ウェブ２０を保持手段４０Ａ、４０Ｂにより吸引保持する。
【００１５】
次に、図１（ｃ）に示すように、切断手段６０を下方に移動させ、支持部材６３を旧ウェブ１０の上面に接合させる。この時、カッター６１の先端が新ウェブ２０の折り曲げ部分あるいはその後方近傍部分に位置するように切断手段６０を配置する。そして、図２（ａ）に示すように、カッター６１を旧ウェブ１０および新ウェブ２０の幅方向に移動させて、両ウェブを同時に切断する。この時、旧ウェブ１０の切断箇所より後方に位置する部分は保持手段４０Ａにより保持されていないので、下方に落下し、取り除かれる。同様に、新ウェブ２０の下方に折り曲げられた部分も、保持手段４０Ｂにより保持されていないので、下方に落下し、取り除かれる。
なお、新旧ウェブを同時ではなく、個別に切断することも可能である。この場合には、保持手段４０Ａ、４０Ｂを個別に移動させ、カッター６１を２回ウェブの幅方向に移動させる必要があるが、基本的な操作は上記と同様である。
【００１６】
以上のようにして、旧ウェブ１０の後端と新ウェブ２０の先端とを突き合わせることができる。
続いて、図２（ｂ）に示すように、切断手段６０を旧ウェブ１０および新ウェブ２０から離間させると共に、保持手段４０Ｃを移動させ、該保持手段に保持された繋ぎ用テープ３０を、新旧ウェブを突き合わせた部分の上面側に接合させる。次に、開閉弁５７Ｃを閉じて保持手段４０Ｃをオフ状態とする。これによって、繋ぎ用テープ３０は保持手段４０Ｃから離脱するので、新旧ウェブを突き合わせた部分の上面側を繋ぎ用テープ３０により貼着することができる。
【００１７】
同様に、図２（ｃ）に示すように、保持手段４０Ａ、４０Ｂを旧ウェブ１０および新ウェブ２０から離間させると共に、保持手段４０Ｄを移動させ、該保持手段に保持された繋ぎ用テープ３０を、新旧ウェブを突き合わせた部分の下面側に接合させる。次に、開閉弁５７Ｄを閉じて保持手段４０Ｄをオフ状態とする。これによって、繋ぎ用テープ３０は保持手段４０Ｄから離脱するので、新旧ウェブを突き合わせた部分の下面側を繋ぎ用テープ３０により貼着することができる。
【００１８】
最後に、図２（ｄ）に示すように、保持手段４０Ｃ、４０Ｄを旧ウェブ１０および新ウェブ２０から離間させ、ウェブの突き合わせ繋ぎ作業が完了する。
【００１９】
本実施形態の突き合わせ繋ぎ装置１においては、２台の吸引手段５１、５２を設けると共に、ウェブあるいは繋ぎ用テープを吸引保持する４個の保持手段４０Ａ〜４０Ｄのうち、ウェブを保持する保持手段４０Ａ、４０Ｂを一方の吸引手段５１に接続し、繋ぎ用テープを保持する保持手段４０Ｃ、４０Ｄを他方の吸引手段５２に接続する構成とした。
【００２０】
かかる構成を採用することにより、すべての保持手段を共通の吸引手段に接続していた従来技術と異なり、ウェブを保持する保持手段４０Ａ、４０Ｂと、繋ぎ用テープを保持する保持手段４０Ｃ、４０Ｄとを独立して操作することができる。すなわち、保持手段４０Ａ、４０Ｂのオンオフ操作によって、保持手段４０Ｃ、４０Ｄ側が何ら影響を受けることがない。同様に、保持手段４０Ｃ、４０Ｄのオンオフ操作によって、保持手段４０Ａ、４０Ｂ側が何ら影響を受けることもない。そのため、従来技術に比較して保持手段４０Ａ〜４０Ｄの吸引力の変動を著しく抑制することができる。また、このように吸引力の変動を抑制できることに加えて、１台の吸引手段に接続する保持手段の数を従来技術の半分とすることができるので、個々の保持手段４０Ａ〜４０Ｄの吸引力を簡易に制御することができる。したがって、開閉弁を調整するだけで、個々の保持手段４０Ａ〜４０Ｄの吸引力を最適範囲内に容易に制御することができる。また、ウェブや繋ぎ用テープの種類が変わっても、個々の保持手段４０Ａ〜４０Ｄの吸引力を簡易にかつ安定して制御することができる。また、新規のウェブや繋ぎ用テープを用いる場合の最適化条件の検討に要する時間や労力を著しく減じることができる。
【００２１】
このように、本実施形態によれば、個々の保持手段４０Ａ〜４０Ｄの吸引力を簡易にかつ安定して制御することができるので、ウェブの皺や新旧ウェブの位置ずれを防止し、繋ぎ用テープによる新旧ウェブの貼着作業を良好に制御することができる。その結果、繋ぎ不良や品質不良の発生を著しく抑制することができ、生産性を向上することができる。また、開閉弁の操作による各保持手段４０Ａ〜４０Ｄの吸引力の調整や、各保持手段４０Ａ〜４０Ｄのオンオフのタイミングの制御も容易であるので、複雑で高価な制御装置を要することもない。
【００２２】
なお、本実施形態では、ウェブを保持する保持手段４０Ａ、４０Ｂを一方の吸引手段５１に接続し、繋ぎ用テープを保持する保持手段４０Ｃ、４０Ｄを他方の吸引手段５２に接続する構成としたが、保持手段と吸引手段の組み合わせについては適宜設計することができる。また、３台以上の保持手段を設ける構成としても良い。特に、４台の吸引手段を設け、保持手段４０Ａ〜４０Ｄを各々異なる吸引手段に接続する場合には、各保持手段４０Ａ〜４０Ｄを独立に制御することができるので、吸引力の制御がより簡易になり、好適である。なお、このように保持手段４０Ａ〜４０Ｄを各々異なる吸引手段に接続する場合には、吸引手段のみの調整で各保持手段の吸引力を制御できるので、開閉弁を設けなくても良い。
また、本実施形態では、４個の保持手段４０Ａ〜４０Ｄを設ける構成としたが、旧ウェブと新ウェブとを突き合わせた部分に対して少なくとも片面に繋ぎ用テープを貼着すれば良いので、旧ウェブ、新ウェブ、繋ぎ用テープを各々保持する少なくとも３個の保持手段を設ける構成とすれば良い。
【００２３】
【発明の効果】
以上詳細に説明したように、本発明によれば、ウェブや繋ぎ用テープを保持する保持手段の吸引力を簡易にかつ安定して制御することができ、繋ぎ不良や品質不良を防止することができるウェブの突き合わせ繋ぎ装置を提供することができる。
【図面の簡単な説明】
【図１】図１（ａ）は、本発明に係る実施形態のウェブの突き合わせ繋ぎ装置の構造を示す概略図であり、図１（ｂ）、（ｃ）は、該装置を用いたウェブの突き合わせ繋ぎ方法を示す工程図である。
【図２】図２（ａ）〜（ｄ）は、ウェブの突き合わせ繋ぎ方法を示す工程図である。
【図３】図３は、本発明に係る実施形態のウェブの突き合わせ繋ぎ装置において、保持手段と吸引手段との接続態様を示す概略図である。
【符号の説明】
１　ウェブの突き合わせ繋ぎ装置
１０　旧ウェブ（第１のウェブ）
２０　新ウェブ（第２のウェブ）
３０　繋ぎ用テープ
４０Ａ〜４０Ｄ　保持手段
５１、５２　吸引手段
５５、５６、５７Ａ〜５７Ｄ　開閉弁
６０　切断手段
【図１】
2004091067.tif 000003
【図２】
2004091067.tif 000004
【図３】
2004091067.tif 000005